(57)【要約】プロジェクションディスプレイ機器は、反射手段と光学式に協力するディスプレイ装置を含んでいるプラスチックの上部キャビネット（３００）を含み、プラスチックの上部キャビネット（３００）は、プラスチックの下部キャビネット（４００）の上端の周囲と実質的に一致する底部の周囲を有し、プラスチックの下部キャビネット（４００）は、光学の構成要素を支持するための光学フレーム（５００）を含んでおり、第二のキャビネット（４００）は、光学フレーム（５００）が第二のキャビネット（４００）の剛性を高める囲い（４０３）にしっかりと適合するようにして、光学フレーム（５００）を挿入するための囲い（４０３）からなり、プラスチックの下部キャビネット（４００）は、プラスチックのフロアーインターフェース（６００）の上端の周囲と実質的に一致する底部の周囲を有し、プラスチックの上部キャビネット（３００）及びプラスチックの下部キャビネット（４００）は、個別に形成されて、分離可能に付加されている。
2005524257.tif 000002
【特許請求の範囲】
【請求項１】
ディスプレイ装置の囲いであって、
第二のキャビネット（４００）の上端に位置される第一のキャビネット（３００）と、
光学の構成要素を支持するための光学フレーム（５００）を挿入するための囲い（４０３）からなる該第二のキャビネット（４００）と、からなり、該第二のキャビネット（４００）はフロアーインターフェース（６００）の上端に位置されて、
前記第一及び第二のキャビネットは分離可能で付加されて、前記光学フレーム（５００）及び前記第二のキャビネット（４００）は、第一及び第二の物質でそれぞれ成り、前記光学フレーム（５００）が前記囲い（４０３）に挿入された場合に、前記光学フレーム（５００）が前記第二のキャビネット（４００）の側壁（４０４）が互いに向かって移動することを回避するようにして、前記第一の物質は前記第二の物質よりも高い曲がり強度を有することを特徴とするディスプレイ装置の囲い。
【請求項２】
前記第一のキャビネット（３００）、前記第二のキャビネット（４００）及び前記フロアーインターフェース（６００）はプラスチックで成され、前記第一のキャビネット（３００）は、前記第二のキャビネット（４００）が前記第一のキャビネット（３００）の横移動を制限するようにして、第二のロケーター（４２２）と合致する第一のロケーター（３１４）を有することを特徴とする請求項１に記載のディスプレイ装置の囲い。
【請求項３】
前記第二のキャビネット（４００）は、前記フロアーインターフェース（６００）が前記下部キャビネット（４００）の前記底壁（４０８）の横変形を制限するようにして、前記フロアーインターフェース（６００）の突出するアーム（６１１）と合致する通路（４３５）を有することを特徴とする請求項２に記載のディスプレイ装置の囲い。
【請求項４】
前記第二の物質は金属であることを特徴とする請求項２に記載のディスプレイ装置の囲い。
【請求項５】
前記第二のキャビネット（４００）は、底面（４０８）から延在する２つの底部の棚（４２６）と、前記第二のキャビネット（４００）の上端面（４０２）から延在する２つの上端の棚（４２４）とを含み、前記上端の棚（４２６）は前記光学フレーム（５００）の２つの底部の折り目（５２０）と合致し、前記底部の棚（４２４）は前記光学フレーム（５００）の２つの上端のエッジ（５０６）と合致することを特徴とする請求項２に記載のディスプレイ装置の囲い。
【請求項６】
前記第二のキャビネット（４００）は、複数の第一のキャビネットと協力するために適応され、前記複数の第一のキャビネットの各々は、それぞれのサイズのディスプレイ装置を受けるために適応されることを特徴とする請求項２に記載のディスプレイ装置の囲い。
【請求項７】
前記ディスプレイ装置はスクリーンであることを特徴とする請求項６に記載のディスプレイ装置の囲い。
【請求項８】
前記光学フレーム（５００）は、前記第二のキャビネット（４００）の剛性を高めるために前記第二のキャビネット（４００）の前記囲い（４０３）内に配置されることを特徴とする請求項２に記載のディスプレイ装置の囲い。
【請求項９】
前記第一のキャビネット（３００）、前記第二のキャビネット（４００）、及び前記フロアーインターフェース（６００）は、射出成形によって形成されることを特徴とする請求項２に記載のディスプレイ装置の囲い。
【請求項１０】
前記フロアーインターフェース（６００）は、前記第二のキャビネット（４００）の一部分として実質的に統合されることを特徴とする請求項２に記載のディスプレイ装置の囲い。
【請求項１１】
プロジェクションディスプレイ機器であって、該機器は、
反射手段と光学式に協力するディスプレイデバイスを含み、第二のキャビネット（４００）の上端に位置され、前記第二のキャビネット（４００）の上端の周囲と実質的に一致する底部の周囲を有する第一のキャビネット（３００）と、
光学の構成要素を支持するための光学フレーム（５００）を含んでいる前記第二のキャビネット（４００）とから成り、前記第二のキャビネット（４００）は、前記光学フレーム（５００）が前記第二のキャビネット（４００）の剛性を高める囲い（４０３）にしっかりと適合するようにして、前記光学フレーム（５００）を挿入するための前記囲い（４０３）から成り、前記第二のキャビネット（４００）は、フロアーインターフェース（６００）の上端に位置され、前記フロアーインターフェース（６００）の上端の周囲と実質的に一致する底部の周囲を有し、
前記第一のキャビネット（３００）及び前記第二のキャビネット（４００）は、プラスチックで成され、個別に形成されて、分離可能に付加されることを特徴とするプロジェクションディスプレイ機器。
【請求項１２】
前記ディスプレイ装置はスクリーンであることを特徴とする請求項１１に記載のプロジェクションディスプレイ機器。
【請求項１３】
前記第一のキャビネット（３００）、前記第二のキャビネット（４００）、及び前記フロアーインターフェース（６００）は、射出成形によって形成されることを特徴とする請求項１１に記載のプロジェクションディスプレイ機器。
【請求項１４】
前記フロアーインターフェース（６００）は、硬化リブを含むことを特徴とする請求項１１に記載のプロジェクションディスプレイ機器。
【請求項１５】
前記フロアーインターフェース（６００）はさらに、キャスター（６３０）を含むことを特徴とする請求項１１に記載のプロジェクションディスプレイ機器。
【請求項１６】
ディスプレイ装置の囲いを提供するための方法であって、該方法は、
プラスチックで第一のキャビネット（３００）を形成することを含み、前記第一のキャビネット（３００）は、第二のキャビネット（４００）の上端に位置され、前記第二のキャビネット（４００）の上端の周囲と実質的に一致する底部の周囲を有し、前記第一のキャビネット（３００）の底部の周囲の実質的な部分は、前記第一のキャビネット（３００）から前記第二のキャビネット（４００）まで移動した負荷が、共に結合した場合に、前記第二のキャビネット（４００）によって支持されるようにして、前記第二のキャビネット（４００）によって支持され、
前記方法は、プラスチックで前記第二のキャビネット（４００）を形成することを含み、前記第二のキャビネット（４００）は、光学フレーム（５００）が前記第二のキャビネット（４００）の剛性を高める囲い（４０３）にしっかりと適合するようにして、前記光学フレーム（５００）を挿入するための前記囲い（４０３）から成り、前記第二のキャビネット（４００）は、フロアーインターフェース（６００）の上端に位置され、前記フロアーインターフェース（６００）の上端の周囲と実質的に一致する底部の周囲を有し、
前記方法は、プラスチックで前記フロアーインターフェース（６００）を形成することを含み、前記フロアーインターフェース（６００）は前記第二のキャビネット（４００）と結合するように形成される、
ことを特徴とするディスプレイ装置の囲いを提供するための方法。
【請求項１７】
前記第二のキャビネット（４００）は、複数の第一のキャビネットと協力して適応するように形成され、前記複数の第一のキャビネットの各々は、前記第二のキャビネット（４００）の前記上端の周囲と実質的に一致する底部の周囲を有し、前記複数の上部キャビネットの各々は、それぞれのサイズのディスプレイ装置を受けるために適応されることを特徴とする請求項１６に記載の方法。
【請求項１８】
前記ディスプレイ装置はスクリーンであることを特徴とする請求項１７に記載の方法。
【請求項１９】
前記フロアーインターフェース（６００）は、硬化リブを含むことを特徴とする請求項１６に記載の方法。
【請求項２０】
前記フロアーインターフェース（６００）は、前記第二のキャビネット（４００）の一部分として実質的に統合されることを特徴とする請求項１６に記載の方法。
【発明の詳細な説明】
【技術分野】
【０００１】
この出願は、２００２年４月２６日に米国で出願した米国仮出願番号第６０／３７６，０９８に優先権を主張する。
【０００２】
本発明は、テレビの囲いに関し、より詳細には、プロジェクションテレビのキャビネットに関する。
【背景技術】
【０００３】
プロジェクションテレビは、ビデオプロジェクター及び一つ以上のミラーによって光学式にアライメントされたビデオスクリーンを含むキャビネットからなる。そのようなキャビネットは、典型的には、非常に大型で非常に重く、そのキャビネットに包含された様々な光学素子は注意深くアライメントされなければならない。キャビネット内のビデオプロジェクター素子及びミラーがスクリーンに関して移動する場合、色縁に帰着して、適切なコンバージェンスが破壊されるので、画質が悪くなるであろう。典型的には、プロジェクションテレビのキャビネットは、本質的にミスアライニングフォースに耐える多大な質量を有する木材、金属及びプラスチックの組み合わせから構成される。金属は、一般的に、歪みに抵抗性のある高い曲がり強度である。
【０００４】
例えば、図１に示されるプロジェクションテレビ１００は、木材のプレート物質が使用される形態を有する。プレート物質は、本体部分１２０及び底部キャビネット１７０からなるボックス内に形成される。スクリーンを設置するフレーム１４０は、スクリーン１３０をインストールするための本体部分１２０の前面に設置される。ミラーを設置する囲み１６０は、ミラー１５０をインストールするための本体部分１２０の背面に設置される。底部キャビネット１７０は、ビデオデバイス及び電子構成要素を含むために適合される。
【０００５】
本体部分１２０のサイズ及びミラーの設置部分１６０を含んでいるテレビの全体のサイズは、使用されるプロジェクションスクリーンのサイズによって決定される。ハウジングの各部分は、プロジェクションスクリーンのサイズに依存する、単一のハウジングを提供するために元来設計される、サイズと規模の正確さで形成される。結果として、そのような部分は、他のサイズのプロジェクションスクリーンとは互換性がない。
【０００６】
図２に示されるプロジェクションテレビ２００は、所定の形状の金属フレーム２８０が底部キャビネット２７０に位置される形態を有する。スクリーン２３０を含むスクリーンを設置するフレーム２４０と、ミラー２５０を含むミラーを設置する囲い２６０は、フレーム２８０を包むように統合して設置される。
【０００７】
図２のプロジェクションテレビにおいて、使用される金属フレーム２８０は、プロジェクションスクリーンのサイズと一致する、あるサイズのハウジングとして設計される。その結果、他のプロジェクションスクリーンのサイズとの互換性はない。プロジェクションテレビにおいてキャビネットを形成するための木材及び高い曲がり強度の金属の使用は、配送及び取り扱いによる画質の劣化を伴わないで顧客に配達されるプロジェクションテレビを可能にする厳格さのレベルを達成するのに必要であると考えられる。不運にも、木材及び金属の使用は、重量が重くて、コストがかかり、様々なプロジェクションスクリーンのサイズとの互換性がないキャビネットに帰着する。
【発明の開示】
【発明が解決しようとする課題】
【０００８】
本発明は、プロジェクションテレビのようなディスプレイ装置用の交換可能な軽量の囲いのための方法及び装置からなる。本発明の原理による囲いは、分離可能に取り付けられた上下のキャビネットを含む。フロアーインターフェース（floor interface）によって支持される下部のキャビネットは、上部のキャビネットを支持し、光学フレームを挿入するための囲いを含む。光学フレームは、画像又はビデオ信号を表わすための光学の構成要素を支持する。囲いを軽くするために、下部のキャビネットは、通常は軽量の曲がり強度が弱い物質から成る。しかしながら、光学フレームは曲がり強度が高い物質（鋼など）で成り、囲いは、光学フレームが挿入される場合に、光学フレームが下部キャビネットの側壁が互いに向かって移動することを回避するように設計され、それによって、下部キャビネットを硬くする。
【課題を解決するための手段】
【０００９】
ある実施態様において、上下のキャビネット及びフロアーインターフェースは、プラスチックから構成される。上部キャビネットは、下部キャビネットが上部キャビネットの横移動を制限するように、下部キャビネットのロケーターと合致するロケーターを有する。
【００１０】
別の実施態様において、プロジェクションディスプレイ機器は、反射手段と光学式に協力するディスプレイ装置を含むプラスチックの上部キャビネットを含む。プラスチックの上部キャビネットは、プラスチックの下部キャビネットの上端の周囲の長さと実質的に一致する底部の周囲の長さを有し、プラスチックの下部キャビネットは、光学の構成要素を支持するための光学フレームを含み、プラスチックの下部キャビネットは、光学フレームがプラスチックの下部キャビネットの剛性を高める囲い内にぴったりと適合するように光学フレームを挿入するための囲いからなり、プラスチックの下部キャビネットはプラスチックのフロアーインターフェースの上端の周囲の長さと実質的に一致する底部の周囲の長さを有し、プラスチックの上部キャビネットとプラスチックの下部キャビネットは個別に形成されて分離可能で取り付けられている。
【００１１】
本発明の教示は、添付図と関連する下記の詳細な記載を考慮することによって容易に理解できる。
【発明を実施するための最良の形態】
【００１２】
理解を容易にするために、可能な際に、図面に共通の同一の要素を指定するために同一の参照番号が使用された。
【００１３】
本発明は、リアプロジェクションテレビと関連する装置の内容で記載される。しかしながら、本発明が有利に、任意のプロジェクションテレビ又は総称してプロジェクション技術を使用するディスプレイ装置に有利に適応されてよいことが当業者によって認識されるであろう。このように、本発明がここに記載されたリアプロジェクションテレビシステムを越える広範囲の適用可能性を有することは発明者によって熟考される。本発明は、可変のスクリーンサイズの正面若しくはリアプロジェクションテレビ又はディスプレイ装置における軽量で安定可能で交換可能な囲いを提供するために使用されてよい。
【００１４】
本発明のプロジェクションテレビの囲いは、共通して指定の要素を含む、図３乃至８に関して記載される。プロジェクションテレビの囲いは、上部キャビネット３００と、下部キャビネット４００と、フロアーインターフェース６００とを含む。加えて、光学フレーム５００は、上部キャビネット３００に提供されるスクリーン及びミラー以外に、リアプロジェクションテレビにおいて必要なすべての光学を支持するための本発明のプロジェクションテレビの囲いに例示される。光学フレーム５００は、全体としてカートリッジの形状であり、下部フレーム４００に剛性を提供するための下部フレーム４００に挿入される。上部キャビネット３００と、下部キャビネット４００と、フロアーインターフェース６００は、互いに独立して形成される。図１乃至８に描写されるプロジェクションテレビの囲いのフロアーインターフェース６００が個別の構成要素として示されるが、フロアーインターフェース６００は下部キャビネット４００内に実質的に統合されるように有利に実行できる。
【００１５】
図１乃至８のプロジェクションテレビの囲いの構成要素は、下部キャビネット４００がフロアーインターフェース６００上にアセンブルされ、次に、上部キャビネット３００が下部キャビネット４００及びフロアーインターフェース６００のアセンブリ上に設置されるように形成される。これは、下部キャビネット４００に関して任意に選択されることを、上部キャビネット３００のスクリーンのサイズのために有利に可能にする。すなわち、例えば、３７インチ、５０インチ、又はそれ以上の任意のスクリーンのサイズの上部キャビネット３００は、共通の下部キャビネット４００で使用できる。これは、異なるスクリーンのサイズの上部キャビネットのすべてにおいて、結合及び設置の構成要素に関して、実質的に同様の幾何学的な設計の上部キャビネット３００の底壁の形成により達成される。このようにして、スクリーン側の下部キャビネット４００の長さは、上部キャビネット３００の長さとは異なってよい。好ましくは、下部キャビネット４００は、最初に３７インチなどの最も小型のスクリーンのサイズにおいて作製され、その結果、下部キャビネット４００はスクリーン側の最も小型のスクリーンサイズに関する長さ、つまり、最も小型のスクリーンサイズにおいて成された上部キャビネット３００の約同じ長さを有する。他のスクリーンサイズにおいて、したがって、スクリーン側の上部キャビネット３００の長さは下部キャビネット４００の長さよりも長い。当然のこととして、支持されるスクリーンサイズの範囲に依存して、最も小型のスクリーンサイズにおいて必要なサイズよりも長い下部キャビネットのサイズを選択してよく、その結果、同じ下部キャビネット４００は最も大型のスクリーンサイズにおいて使用できる。この場合、スクリーン側の上部キャビネット３００の長さは、下部キャビネット４００の長さよりも短くてよい。これは、単に上部キャビネット３００を容易に変更することにより異なるサイズを有するプロジェクションテレビの製造を可能にする。加えて、上部キャビネット３００と、下部キャビネット４００と、フロアーインターフェース６００は、大量生産が可能な軽量な物質で有利に製造される。軽量な物質は、プロジェクションテレビの囲いの重量を減少し、製造の簡素化はプロジェクションテレビの囲いに関する時間とコストを削減する。ここで示される図において、軽量の物質はプラスチックであり、製造工程は射出成形である。様々なプラスチックが当業者に周知である。しかしながら、軽量な物質はプラスチックに制限されず、アルミニウムなどの他の物質が同様に使用されてよい。
【００１６】
上部キャビネット３００は、プロジェクションテレビの光学を形成する画像から画像を配置する反射手段と光学式に協力するディスプレイ装置における囲いを提供する。本発明の一つの実施態様において、ディスプレイ装置はスクリーンであり、反射手段はスクリーン上にピクチャーの画像を配置するために協力するミラーである。上部キャビネット３００は、その正面側の長方形のフレーム部分３０２で形成される。上部キャビネット３００は、開口の正面を備えて、全体としてボックス上で上壁３０４、２つの側壁３０６１、３０６２、（総体として側壁３０６）、背壁３０８、及び底壁３１０によって形成される。下部キャビネット４００で組み立てられる場合、底壁４００は、プロジェクションレンズに面する開口部を備えて形成される。上壁３０４、２つの側壁３０６、及び底壁３１０は、より大型サイズのスクリーン及びミラーを収容するために、全体として正面の側に向かって広がって開く。
【００１７】
底壁３１０は、上部キャビネット３００の内側の２つの側壁３０６の長さに沿う、２つのフランジ（重なる壁）３１２１及び３１２２（総体的にフランジ３１２）で形成される。フランジ３１２は、上部キャビネット３００に下部キャビネット４００を結合するために使用される。特に、上部キャビネット３００のフランジ３１２は、下部キャビネット４００上の下記に記載の棚４１２と合致する。フランジ３１２は、フランジに配置された円形ポケット３１４１及び３１４２（総体的に円形ポケット３１４）を各々含んでいる、正面３１３１及び３１３２（総体的に正面３１３）で各々形成される。円形ポケット３１４は、下部キャビネット４００上の下記に記載の２つの円形ポケット４２２と合致する。
【００１８】
上部キャビネット３００はまた、中央の“こぶ”３２０を含む。中央のこぶ３２０は、底壁３１０の一部として形成される。中央のこぶ３２０は、囲いのための多大な強度及び安定性を提供するために上部キャビネットと下部キャビネット４００との間の機械的な結合を支援する。中央のこぶ３２０はまた、上部キャビネット３００の上端から上部キャビネット３００のより安定した基部に負荷を移動することによって、囲いの強度及び安定性を改善する。中央のこぶ３２０は、前方のフランジ３２１と、２つのスクリューホール３２２１、３２２２（総体的にスクリューホール３２２）と、中央のこぶ３２０の正面に沿った２つのスクリュー設置タブ３２３１、３２３２（総体的にスクリュー設置タブ３２３）と、で形成される。中央のこぶ３２０上の前方のフランジ３２１は、下部キャビネット４００上の下記に記載の棚４１０と合致する。２つのスクリューホール３２２は、下部キャビネット４００の下記に記載の背壁４１６上のスクリューホール４１４と合致する。２つのスクリュー設置タブ３２３は、下部キャビネット４００上の下記に記載の背壁４１６上のホール４１８と合致する。棚と、フランジと、スクリュー設置タブと、スクリューホールの様々な組み合わせが、下部キャビネット４００に対して上部キャビネット３００を設置するための上部キャビネット３００で形成できることは当業者によって認識されるであろう。重要な態様は、上部キャビネット３００の底部周辺の実質的な部分が、上部キャビネット３００の負荷が下部キャビネット４００によって安定した手法で支持されるように下部キャビネット４００によって支持されることである。この手法において、下部キャビネット４００に上部キャビネット３００を固定するために使用される固定するハードウェア（例えば、スクリュー、ボルト、セットスクリューなど）は、過度の負荷又は緊張がない。
【００１９】
リアプロジェクションテレビにおいて必要なすべての光学は、既に記載した上部キャビネット３００に設けられるスクリーン及びミラー以外に、下部キャビネット４００の光学フレーム５００に設けられる。光学フレーム５００は、正面側から容易に置き換えることができるように、全体としてカートリッジの形態で形態化される。光学フレーム５００は、２シートの金属のエンドプレート５０２１及び５０２２（総体的にエンドプレート５０２）と、２シートの金属レール５１０１及び５１０２（総体的にレール５１０）とで形成される。このようにして、この実施態様では、光学フレーム５００は、プラスチックで成る下部キャビネット４００よりも強く、さらに硬い。エンドプレート５０２及びレール５１０は、ピクチャーを生成するオプトロニクス（optronics）を支持する。各エンドプレート５０２は、上端エッジ、総体的に５０６と、底部の折り目、総体的に５２０で形成される。２つの上端エッジ５０６は、下部キャビネット４００上の下記に記載の突出するブロック４３１の２つの棚４２４と合致する。この合致は、光学フレーム５００が下部キャビネット４００の側壁４０４の上部が互いに近づくのを防ぐことを可能にする。２つの底部の折り目５２０は、下部キャビネット４００上の下記に記載の２つの棚４２６と合致する。各エンドプレート５０２の正面のエッジ５０３は、設置のための下部キャビネット４００の光学フレーム５００を中心にするために、下記に記載の張り出しブロック４３８の２つの側面４２８と合致する。張り出しブロック４３８とエンドプレートの合致は、光学フレーム５００が下部キャビネット４００の側壁４０４の下部が互いに近づくのを防ぐことを可能にする。各エンドプレート５０２の背部エッジの上端は、スクリュー設置タブ、総体的に５０４で形成される。２つのスクリュー設置タブ５０４は、下部キャビネット４００の下記に記載の突出ブロック４３１上の２つのスクリューホール４３０と合致する。各底部の折り目５２０の背部エッジはまた、スクリュー設置タブ、総体的にスクリュー設置タブ５２１で形成される。２つのスクリュー設置タブ５２１は、下部キャビネット４００の下記に記載の２つのスクリューホール４３２と合致する。
【００２０】
光学フレーム５００が下部キャビネット４００に設置される場合、光学フレーム５００は、光学フレーム５００のシート金属のエンドプレート５０２が下部キャビネット４００の構造を硬化するように、下部キャビネット４００にきっちりと適合する。本発明者は、光学フレーム５００で下部キャビネット４００を硬化することは、本発明のプロジェクションテレビの囲いのための必要な剛性を提供するために重要であることを決定した。再度、棚と、フランジと、スクリュー設置タブと、スクリューホールとの様々な組み合わせが、光学フレーム５００を下部キャビネット４００に設置するため光学フレーム５００で形成できることが当業者によって認識されるであろう。重要な態様は、正面以外に、光学フレーム５００の負荷が下部キャビネット４００によって安定した手法で支持されるように、光学フレーム５００の周辺の実質的な部分が下部キャビネット４００によって支持されることである。
【００２１】
下部キャビネット４００は、回旋状の薄い囲まれた構造である。上部キャビネット３００と光学フレーム５００の負荷が、任意の固定するハードウェア上の緊張を制限する手法で下部キャビネット４００に移動されるように、下部キャビネット４００は、上部キャビネット３００を支持し、光学フレーム５００を包含し、且つ支持するように設計される。加えて、下部キャビネット４００はまた、プロジェクションテレビのためのスピーカーを含むように形成できる。下部キャビネット４００は、一般的に、長方形の形状で形成される。スピーカーが下部キャビネット４００に含まれる場合、２つの追加的な長方形のリアキャビネットは、下部キャビネット４００の背壁の一部分として実質的に統合されて提供される。
【００２２】
下部キャビネット４００は、部分的に開口の正面を備える全体としてボックス形状の上端壁４０２、２つの側壁４０４１、４０４２、（総体的に、側壁４０４）、背壁４１６、及び底壁４０８によって形成される。添付図に描写された実施態様はさらに、ハウジングスピーカーにおける２つの追加的な長方形のリアキャビネット４１５１及び４１５２（総体的にリアキャビネット４１５）を描写する。
【００２３】
下部キャビネット４００の正面は、下部キャビネット４００の正面の上部の２つの角の２つの円形のポケット４２２１及び４２２２（総体的に円形のポケット４２２）で形成される。前述したように、下部キャビネット４００の円形のポケット４２２は、下部キャビネット４００に上部キャビネット３００を位置するように上部キャビネット３００の円形のポケット３１４と合致する。下部キャビネット４００は、共にこれらのポケットペアによって上部キャビネット３００の横移動を制限することができる。ここに使用されるような横移動は、２つの側壁３０６のうちの１つからもう一方の側壁を指す方向の移動として定義される。この継ぎ目の分解図は、図８でより詳細に描写される。
【００２４】
上端壁４０２と下部キャビネット４００の側壁４０４との間の接合は、下部キャビネット４００の幅で実質的に同一空間に広がる、棚４１２１及び４１２２（総体的に棚４１２）を形成する。前述のように、下部キャビネット４００の棚４１２は、上部キャビネット３００のフランジ３１２と合致する。上端壁４０２の中心は、光学フレーム５００の光学（つまり、陰極線管）を位置するための光学ロケーターとして適応するため形成された、盛り上がった部分的なカットアウト４０６で形成される。詳細は図５を参照のこと。盛り上がった部分的なカットアウトの背部エッジは、棚４１０を形成する。前述のように、下部キャビネット４００の棚４１０は、上部キャビネット３００の中央のこぶ３２０上の前方のフランジと合致する。
【００２５】
下部キャビネット４００の背壁４１６は、盛り上がった光学ロケーター４０６の両端部の背壁４１６に位置される２つのスクリューホール４１４１及び４１４２（総体的にスクリューホール４１４）で形成される。前述したように、背壁４１６の２つのスクリューホール４１４は、上部キャビネット３００の中央のこぶ３２０で２つのスクリューホール３２２と合致する。背壁４１６はまた、２つの他のスクリューホール４１８１及び４１８２（総体的にスクリューホール４１８）を含むように形成される。２つのスクリューホール４１８は、スクリューホール４１８が上部キャビネット３００の中心のこぶ３２０上の２つのスクリュー設置タブ３２３と合致するようにして、背壁４１６に位置される。加えて、背壁４１６は、フロアーインターフェース６００の下記に記載のスクリュー設置タブ６２０と合致するために、複数のスクリューホール４２０（例示的に、４つのスクリューホール４２０）で形成される。図４を参照のこと。背壁４１６の背部キャビネット４１５は、背部キャビネット４１５のそれぞれの底部の近くでスクリューホール４１７１及び４１７２（総体的にスクリューホール４１７）と夫々形成される。２つのスクリューホール４１７は、フロアーインターフェース６００の下記に記載のスクリュー設置タブ６１７と合致する。加えて、各背部キャビネット４１５は、キャビネットの基部上で突出する棚４４６１及び４４６２（総体的に棚４４６）で形成される。突出する棚４４６は、フロアーインターフェース６００の下記に記載のエッジ６１８と合致する。
【００２６】
下部キャビネット４００の底壁４０８は、フロアーインターフェース６００と合致するように設計される。底壁４０８の２つの端部は、わずかに盛り上がり、穴４０３の正面の側壁４４０と接続し、２つの棚４３４１及び４３４２（総体的に棚４３４）を形成する、側壁４０４に向かって延在する。同様に、側壁４０４の２つの端部は、わずかに盛り上がり、２つの棚４３６１及び４３６２（総体的に棚４３６）を形成する、底壁４０８の中心に向かって延在する。棚４３４及び４３６は、フロアーインターフェース６００の下記に記載の２つの突出するアーム６１１と合致する通路を形成する。フロアーインターフェース６００は、通路と突出するアームのペアによって下部キャビネット４００の横移動を制限することができる。
【００２７】
下部キャビネット４００はまた、光学フレーム５００の光学（つまり、陰極線管の部品）及び光学フレーム５００自体のためのクリアランスを提供するための内部の穴４０３で形成される。穴４０３は、光学フレーム５００を下部キャビネット４００に挿入するために下部キャビネット４００の正面に向かって開口である。
【００２８】
下部キャビネット４００の穴４０３の正面は、穴４０３の正面の上端に位置する２つの突出するブロック４３１１及び４３１２（総体的に突出するブロック４３１）と、穴４０３の正面の上端の近くに位置する２つの張り出しブロック４３８１及び４３８２（総体的に張り出しブロック４３８）と、穴４０３の正面の２つの側壁４４０１及び４４０２（総体的に側壁４４０）と、穴４０３の正面の底壁４０８と、によって定義される。
【００２９】
穴４０３の各突出するブロック４３１の正面は、スクリューホール４３０１及び４３０２（総体的にスクリューホール４３０）で形成される。前述のように、２つのスクリューホールは、光学フレーム５００の２つのスクリュー設置タブ５０４と合致する。穴４０３の各突出するブロック４３１の側面は、２つの棚４２４１及び４２４２（総体的に棚４２４）を形成する。前述したように、２つの棚４２４は、光学フレーム５００のエンドプレート５０２の２つの上端エッジ５０６と合致する。
【００３０】
穴４０３の正面の張り出しブロック４３８は、側面４２８１及び４２８２（総体的に側面４２８）で各々形成される。前述したように、張り出しブロック４３８の２つの側面は、光学フレーム５００の各エンドプレート５０２の正面エッジ５０３と合致する。
【００３１】
穴４０３を定義する２つの側壁４４０は、２つの棚４２６１及び４２６２（総体的に棚４２６）を形成する。前述したように、側壁４４０の２つの棚４２６は、光学フレーム５００の２つの底部の折り目５２０と合致する。側壁４４０は、側壁４４０の正面の上端の近くに位置する２つのスクリューホール４３２１及び４３２２（総体的にスクリューホール４３２）で形成される。前述したように、２つのスクリューホール４３２は、光学フレーム５００の２つのスクリュー設置タブ５２１と合致する。加えて、側壁はまた、側壁４４０の正面の底部の近くに位置する２つのスクリューホール４４４１及び４４４２（総体的にスクリューホール４４４）で形成される。２つのスクリューホール４４４は、フロアーインターフェース６００の下記に記載の２つのスクリュー設置タブ６４４と合致する。
【００３２】
棚、フランジ、スクリュー設置タブ、及びスクリューホールの様々な組み合わせが下部キャビネット４００をフロアーインターフェース６００に設置するための下部キャビネットに形成できることを当業者によって認識されるであろう。重要な態様は、下部キャビネット４００の負荷がフロアーインターフェース６００によって安定した手法に支持されるようにして、下部キャビネット４００の底部周辺の実質的な部分が、フロアーインターフェース６００によって支持されることである。この手法において、下部キャビネット４００をフロアーインターフェース６００に固定するために使用される固定するハードウェア（例えば、スクリュー、ボルト、セットスクリューなど）は、過度の負荷又は緊張がない。
【００３３】
フロアーインターフェース６００は、硬化するために加えられた複数のリブで任意に形成できる、比較的薄い囲まれた構造である。フロアーインターフェース６００はまた、移動度を提供するために底のキャスター６３０を任意に含んでよい。フロアーインターフェース６００は、下部キャビネット３００の負荷が如何なる固定するハードウェア上の緊張を制限する手法でフロアーインターフェース６００に移動されるようにして、下部キャビネット４００を受けて支持するように設計される。フロアーインターフェース６００は、長方形の本体の正面の端部から延在する、追加的な２つの突出するアームを備える一般的な長方形の形状で形成される。
【００３４】
フロアーインターフェース６００の長方形の本体６１０は、部分的に開口の正面を備える全体としてボックスの形態で、上端壁６０１、２つの側壁６０２１及び６０２２（総体的に側壁６０２）、背壁６０３、底壁６０４、及び正面壁６０５によって形成される。フロアーインターフェース６００の２つの突出するアーム６１１１及び６１１２（総体的に突出するアーム６１１）は、上端壁６１２、２つの外壁６１３１及び６１３２（総体的に外壁６１３）、２つの内壁６１４１及び６１４２（総体的に内壁６１４）、底壁６１５、及び正面壁６１６によって形成される。突出するアーム６１１の外壁６１３は、２つのエッジ６１８１及び６１８２（総体的にエッジ６１８）を形成するために、長方形の本体６１０の側壁を越えて横に延在する。前述したように、２つのエッジ６１８は、下部キャビネット４００の背部キャビネット４１５の基部の突出する棚４４６と合致する。前述したように、２つの突出するアーム６１１自体は、下部キャビネット４００の通路４３５と合致する。
【００３５】
フロアーインターフェース６００の長方形の本体６１０の正面壁６０５は、正面壁６０５の上端エッジに沿って位置される、複数のスクリュー設置タブ６２０（例示的に４つのスクリュー設置タブ６２０）で形成される。前述したように、複数のスクリュー設置タブ６２０は、下部キャビネット４００の背壁４１６の複数のスクリューホール４２０と合致する。
【００３６】
フロアーインターフェース６００の各突出するアーム６１１の正面壁６１６は、各正面壁６１６の上端エッジに沿って位置される、スクリュー設置タブ６４４１及び６４４２（総体的にスクリュー設置タブ６４４）で形成される。前述したように、スクリュー設置タブ６４４は、下部キャビネット４００の側壁４４０の正面の底部の近くに位置される２つのスクリューホール４４４と合致する。
【００３７】
フロアーインターフェース６００の長方形の本体６１０の上端壁６１２は、下部キャビネット４００の各背部キャビネット４１５の底部の近くの２つのスクリューホール４１７と合致するために十分な正面壁６０５からの距離で側壁６０２の上端エッジに沿う上端壁６１２に位置される、２つのスクリュー設置タブ６１７１及び６１７２（総体的にスクリュー設置タブ６１７）で形成される。
【００３８】
棚、フランジ、スクリュー設置タブ、及びスクリューホールの様々な組み合わせが、下部キャビネット４００をフロアーインターフェース６００に設置するためフロアーインターフェース６００で形成できることは当業者によって認識されるであろう。重要な態様は、下部キャビネット４００の負荷がフロアーインターフェース６００によって安定した手法で支持されるようにして、下部キャビネット４００の底部周辺の実質的な部分がフロアーインターフェース６００によって支持されることである。この手法において、下部キャビネット４００をフロアーインターフェース６００に固定するために使用された固定するハードウェア（例えば、スクリュー、ボルト、セットスクリューなど）は、過度の負荷又は緊張でない。
【００３９】
共にアセンブルされる場合、上部キャビネット３００、光学フレーム５００を含む下部キャビネット４００、及びフロアーインターフェース６００は、軽量で有利に大量生産が可能な物質の構成要素を移動することによるプロジェクションテレビの画像の劣化を防ぐために実質的に十分な剛性である、プロジェクションテレビの囲いを提供する。
【００４０】
前述した実施態様において、様々なホール及びタブが、“スクリュー”ホール及び“スクリュー”設置タブとして描写され且つ記載されるが、ファスナー（つまり、ボルト、セットスクリュー、及び同種のもの、同様に接着剤など）の様々な形態が、様々な構成要素を固定するために有利に実行できることは当業者によって認識されるであろう。加えて、特定数のホール及びタブがここに開示された様々な添付図に描写された本発明の実施態様に例示されたが、本発明の代替となる実施態様において、ホール及びタブの異なる数が有利に実行できることは、さらに当業者によって認識されるであろう。ホール及びタブの数は、プロジェクションテレビでの固定する必要性又は望ましさ及び使用される構成要素の数に依存し、本発明と一致して、プロジェクションテレビの囲いを固定するために根本的に実行される。重要な態様は、本発明の様々な構成要素が、構成要素の移動によるプロジェクションテレビの画像の劣化を回避するためにプロジェクションテレビにおいて必要な剛性を提供する手法に組み合わされることである。加えて、本発明者は、軽量な物質及び提案されたプロジェクションテレビの囲いの大量生産を有利に可能にする方法におけるこの重要な態様を提供する。
【００４１】
先の記載は本発明の幾つかの実施態様を導く一方で、本発明の別のさらなる実施態様は、本発明の基本的な範囲を逸脱することなく考慮されてよい。このようにして、本発明の適切な範囲は、請求項にしたがって決定される。
【図面の簡単な説明】
【００４２】
【図１】プロジェクションテレビにおける典型的な木製フレームのキャビネットの分解した斜視図である。
【図２】プロジェクションテレビにおける典型的な金属フレームのキャビネットの分解した斜視図である。
【図３】本発明と一致するプロジェクションテレビの囲いの実施態様の分解した等角図である。
【図４】図３のプロジェクションテレビの囲いの分解した正面図である。
【図５】図３のプロジェクションテレビの囲いの分解した側面図である。
【図６】図３のプロジェクションテレビの囲いの分解した上面図である。
【図７】図３のプロジェクションテレビの囲いの下部キャビネットの上面図及び底面図である。
【図８】図３のプロジェクションテレビの囲いの上部キャビネットの円形ポケットと下部キャビネットの円形ポケットとの間の継ぎ目の分解図である。
【図１】
2005524257.tif 000003
【図２】
2005524257.tif 000004
【図３】
2005524257.tif 000005
【図４】
2005524257.tif 000006
【図５】
2005524257.tif 000007
【図６】
2005524257.tif 000008
【図７】
2005524257.tif 000009
【図８】
2005524257.tif 000010
【国際調査報告】
2005524257.tif 000011
2005524257.tif 000012